(57)【要約】【課題】  スピーカを具えた一方のキャビネットとマイクロフォンを具えた他方のキャビネットを連結して構成される折り畳み式携帯端末機において、両キャビネットを閉じた状態でのスピーカの振動に伴うノイズ音の発生を効果的に抑える。【解決手段】  本発明に係る折り畳み式携帯端末機は、マイクロフォン13を具えた本体キャビネット１とスピーカ25を具えた蓋体キャビネット２とを、ヒンジ機構３を介して互いに開閉可能に連結して構成され、本体キャビネット１内面には、シリコン製の凸部材14、14が突設され、蓋体キャビネット２内面には、両キャビネット１、２を閉じた状態で両凸部材14、14と当接するシリコン製のビスカバー27、27が突出し、両キャビネット１、２を閉じた状態で凸部材14とビスカバー27が互いに当接して、両キャビネット１、２の内面間に隙間が形成される。【選択図】      図２
2005142835.tif 000002
【特許請求の範囲】
【請求項１】
本体キャビネット(１)と蓋体キャビネット(２)が互いに開閉可能に連結されており、本体キャビネット(１)には集音部が設けられ、本体キャビネット(１)の内部には、前記集音部と対向するマイクロフォン(13)が配備されており、蓋体キャビネット(２)には放音部(28)が設けられ、蓋体キャビネット(２)の内部には、前記放音部(28)に向けて音波を放出するスピーカが配備されている折り畳み式携帯端末機において、
本体キャビネット(１)の内面には、該内面から離間する方向に突出する弾性樹脂製の第１突起部が形成されると共に、蓋体キャビネット(２)の内面には、両キャビネット(１)(２)を閉じた状態で第１突起部と当接することとなる位置に、該内面から離間する方向に突出する弾性樹脂製の第２突起部が形成されており、両キャビネット(１)(２)を閉じた状態で両突起部が互いに当接して、両キャビネット(１)(２)の内面間に隙間が形成されることを特徴とする折り畳み式携帯端末機。
【請求項２】
前記放音部(28)は、両キャビネット(１)(２)を閉じた状態で露出することとなる蓋体キャビネット(２)の背面に設けられ、前記集音部は、本体キャビネット(１)の内面に設けられている請求項１に記載の折り畳み式携帯端末機。
【請求項３】
スピーカは、骨伝導式スピーカである請求項１又は請求項２に記載の折り畳み式携帯端末機。
【発明の詳細な説明】
【技術分野】
【０００１】
本発明は、折り畳み式携帯電話機の如く、一対の扁平なキャビネットを互いに開閉可能に連結して構成される折り畳み式携帯端末機に関するものである。
【背景技術】
【０００２】
近年、折り畳み式携帯電話機においては、小型化や薄型化が進むと共に多機能化が進んでおり、両キャビネットを閉じた状態でも通話やメールの送受信が可能な折り畳み式携帯電話機の開発が進んでいる(例えば特許文献１〜特許文献３参照)。
【０００３】
両キャビネットを閉じた状態でも通話を行なうことが可能な折り畳み式携帯電話機として、例えば図６及び図７に示す折り畳み式携帯電話機が提案されている。
該折り畳み式携帯電話機は、本体キャビネット(８)と蓋体キャビネット(９)をヒンジ機構(83)を介して開閉可能に連結して構成されており、本体キャビネット(８)の内面には複数の操作キー(81)及び送話部(82)が配備され、本体キャビネット(８)の内部には、送話部(82)に集音面を向けたマイクロフォン(84)が配備されている。蓋体キャビネット(９)の内面には、メインディスプレイ(91)が配備されると共に、両キャビネット(８)(９)を閉じた状態で送話部(82)と対向することとなる位置に第１受話部(92)が配備され、蓋体キャビネット(９)の背面には、第２受話部(93)が配備されている。又、蓋体キャビネット(９)の内部には、第１受話部(92)に放音面を向けた第１スピーカ(94)が配備されると共に、第２受話部(93)に放音面を向けた第２スピーカ(95)が配備されている。
又、本体キャビネット(８)の送話部(82)の近傍には、第１凸部(85)が突設されると共に、蓋体キャビネット(９)には、第１受話部(92)の近傍に弾性樹脂製の第２凸部(96)が突設されており、両凸部(85)(96)は、両キャビネット(８)(９)を閉じた状態で互いに当接する。
【０００４】
該折り畳み式携帯電話機において、図７に示す如く両キャビネット(８)(９)を閉じた場合、キャビネット開閉検出器(図示省略)によって両キャビネット(８)(９)を閉じたことが検出され、該検出に基づく検出信号が制御回路(図示省略)に供給される。制御回路は、前記検出信号に応じて、マイクロフォン(84)を機能させると共に、第２スピーカ(95)を機能させる。これによって、両キャビネット(８)(９)を閉じた状態での送受話が可能となる。従って、着信時に両キャビネット(８)(９)を開く必要はない。
【特許文献１】特開２００３−１８２５７号公報[H04M1／02]
【特許文献２】特開２００３−５１８７１号公報[H04M1／02]
【特許文献３】特開２００３−１３４２０１号公報[H04M1／02]
【発明の開示】
【発明が解決しようとする課題】
【０００５】
しかしながら、該折り畳み式携帯電話機においては、両キャビネット(８)(９)を閉じると、両凸部(85)(96)を介して両キャビネット(８)(９)が互いに当接した状態となるため、例えば骨伝導式スピーカの様に振動の大きなスピーカが第２スピーカ(95)に採用された場合には、第２スピーカ(95)の大きな振動に伴って生じる蓋体キャビネット(９)の大きな振動が両凸部(96)(85)を介して本体キャビネット(８)に伝達されることとなり、これによって本体キャビネット(８)が振動する。この結果、該振動が送話部(82)のマイクロフォン(84)に伝わってノイズ音が生成され、該ノイズ音が通話相手の電話機に送信されることとなって、通話相手に不快感を与える問題があった。
【０００６】
そこで本発明の目的は、スピーカを具えた一方のキャビネットとマイクロフォンを具えた他方のキャビネットを連結して構成される折り畳み式携帯端末機において、両キャビネットを閉じた状態でのスピーカの振動に伴うノイズ音の発生を抑えることが出来る折り畳み式携帯端末機を提供することである。
【課題を解決するための手段】
【０００７】
本発明に係る折り畳み式携帯端末機においては、本体キャビネット(１)と蓋体キャビネット(２)が互いに開閉可能に連結されている。本体キャビネット(１)には集音部が設けられ、本体キャビネット(１)の内部には、前記集音部と対向するマイクロフォン(13)が配備されており、蓋体キャビネット(２)には放音部(28)が設けられ、蓋体キャビネット(２)の内部には、前記放音部(28)に向けて音波を放出するスピーカが配備されている。
本体キャビネット(１)の内面には、該内面から離間する方向に突出する弾性樹脂製の第１突起部が形成されると共に、蓋体キャビネット(２)の内面には、両キャビネット(１)(２)を閉じた状態で第１突起部と当接することとなる位置に、該内面から離間する方向に突出する弾性樹脂製の第２突起部が形成されており、両キャビネット(１)(２)を閉じた状態で両突起部が互いに当接して、両キャビネット(１)(２)の内面間に隙間が形成される。
又、前記スピーカには、例えば骨伝導式スピーカが採用されている。
【０００８】
上記本発明に係る折り畳み式携帯端末機において、両キャビネット(１)(２)を閉じた場合、両キャビネット(１)(２)の突起部が互いに当接するので、蓋体キャビネット(２)のスピーカが振動することによって生じる蓋体キャビネット(２)の振動は、両突起部を介して本体キャビネット(１)に伝達されることとなるが、両突起部は共に弾性樹脂によって形成されているため、該振動は突起部の弾性によって殆ど吸収されることとなる。従って、本体キャビネット(１)に伝達される振動は極めて小さなものとなり、該振動によって本体キャビネット(１)が大きく振動することはなく、マイクロフォン(13)に伝わる振動は軽微なものとなる。
【０００９】
具体的構成において、前記放音部(28)は、両キャビネット(１)(２)を閉じた状態で露出することとなる蓋体キャビネット(２)の背面に設けられ、前記集音部は、本体キャビネット(１)の内面に設けられている。
【００１０】
該具体的構成によれば、両キャビネット(１)(２)を閉じた状態で放音部(28)及び集音部が共に本体キャビネット(１)の背面とは反対側に位置することとなる。この状態でスピーカ及びマイクロフォン(13)を機能させることにより、両キャビネット(１)(２)を閉じた状態での送受話が可能となり、ユーザは、放音部(28)を耳元に近づけると共に集音部を口元に近づけて送受話を行なう。
又、両キャビネット(１)(２)を閉じた状態で放音部(28)をユーザに向けて机の上に置くことにより、放音部(28)と共に集音部もユーザと対向する。この状態でスピーカ及びマイクロフォン(13)を機能させることにより、ユーザは放音部(28)から発せられる音を明瞭に聞くことが出来ると共に、ユーザの音声が小さな場合にも、該音声を集音部によって確実に集音することが出来、これによって、両キャビネット(１)(２)を手で保持することなく机の上に置いた状態で送受話を行なうことが可能となる。
【発明の効果】
【００１１】
本発明の折り畳み式携帯端末機によれば、両キャビネットを閉じた状態でのスピーカの振動に伴うノイズ音の発生を効果的に抑えることが出来る。
【発明を実施するための最良の形態】
【００１２】
以下、本発明を折り畳み式携帯電話機に実施した形態につき、図面に沿って具体的に説明する。
本発明に係る折り畳み式携帯電話機は、図１及び図２に示す如く、本体キャビネット(１)にヒンジ機構(３)を介して蓋体キャビネット(２)を連結して構成され、本体キャビネット(１)の内面と蓋体キャビネット(２)の内面を互いに対向させて本体キャビネット(１)と蓋体キャビネット(２)を折り畳むことが可能となっている。
【００１３】
図１に示す如く、本体キャビネット(１)の内面には、複数の操作キー(11)が配備されると共に該操作キー(11)の下方に送話部(12)が凹設されており、本体キャビネット(１)の内部には、図２に示す如く、送話部(12)に集音面を向けたマイクロフォン(13)が配備されている。又、図１に示す如く、送話部(12)の両側には、本体キャビネット(１)の内面から離間する方向に突出する一対の凸部材(14)(14)が配備されており、本体キャビネット(１)の側面には、サイドキー(15)が配備されている。
尚、両凸部材(14)(14)は、シリコン系の弾性樹脂材料によって形成されている。
【００１４】
蓋体キャビネット(２)の内面には、図１に示す如く、メインディスプレイ(21)が配備され、該メインディスプレイ(21)の上方には、両キャビネット(１)(２)を閉じた状態で送話部(12)と対向することとなる位置に、受話部(22)が配備されている。又、図２に示す如く、蓋体キャビネット(２)の背面には、サブディスプレイ(23)が配備されると共に、該サブディスプレイ(23)とヒンジ機構(３)との間には放音部(28)が配備されている。蓋体キャビネット(２)の内部には、受話部(22)に放音面を向けた第１スピーカ(24)が配備されると共に、放音部(28)に放音面を向けた骨伝導式の第２スピーカ(25)が配備されている。
【００１５】
図１及び図３に示す如く、蓋体キャビネット(２)は、内面キャビネット半体(20)と背面キャビネット半体(29)を接合して構成されており、両キャビネット半体(20)(29)は、受話部(22)の両側に設けられた一対のビス穴にビス(26)をそれぞれ螺合させることにより互いに接合されている。又、一対のビス(26)(26)はそれぞれ、シリコン系の弾性樹脂材料によって形成されるビスカバー(27)(27)によって覆われており、蓋体キャビネット(２)の内面に露出することはない。
【００１６】
図３に示す如く、ビスカバー(27)は、蓋体キャビネット(２)の内面から離間する方向に突出しており、両キャビネット(１)(２)を閉じた状態で本体キャビネット(１)の凸部材(14)と当接する。これによって、両キャビネット(１)(２)を閉じた場合、両キャビネット(１)(２)の内面間には隙間Ｃが形成され、凸部材(14)及びビスカバー(27)を除く両キャビネット(１)(２)の他の内面領域が互いに接触することはない。
【００１７】
上記本発明の折り畳み式携帯電話機においては、図１に示す如く、両キャビネット(１)(２)を開いた状態で送受話、メールの送受信及び送信メールの作成を行なうことが出来る。
両キャビネット(１)(２)を開くことにより、蓋体キャビネット(２)内面のメインディスプレイ(21)及び受話部(22)が露出すると共に、本体キャビネット(１)内面の操作キー(11)及び送話部(12)が露出する。このとき、キャビネット開閉検出器(図示省略)によって両キャビネット(１)(２)の開き状態が検出され、該検出に基づく検出信号が制御回路(図示省略)に供給される。制御回路は、前記検出信号に応じて、マイクロフォン(13)及び第１スピーカ(24)を機能させる。
【００１８】
従って、着信時には、メインディスプレイ(21)の画面に相手の電話番号や氏名が表示され、これに応じて操作キー(11)によるオフフック操作を行なうことによって通話可能状態となり、ユーザは、受話部(22)を耳元に近づけると共に送話部(12)を口元に近づけて該着信に応答することが出来る。
【００１９】
又、メールの受信時には、操作キー(11)を操作することにより、メインディスプレイ(21)の画面に該受信メールの内容を表示してその内容を確認することが出来る。メール作成時には、操作キー(11)を操作することにより、メインディスプレイ(21)の画面にユーザが作成した文章が表示される。
【００２０】
上記本発明の折り畳み式携帯電話機をポケットや鞄に入れて携帯する場合には、図１の如く両キャビネット(１)(２)を開いた状態から両キャビネット(１)(２)を折り畳み、図２の如く両キャビネット(１)(２)を閉じる。これによって、メインディスプレイ(21)及び複数の操作キー(11)は両キャビネット(１)(２)の内側に隠れる。又、本体キャビネット(１)の凸部材(14)(14)と蓋体キャビネット(２)のビスカバー(27)(27)が互いに当接し、これによって、両キャビネット(１)(２)の内面間には隙間Ｃが形成される。従って、外力の作用によってメインディスプレイ(21)が複数の操作キー(11)に押圧されて破損する虞はない。又、メインディスプレイ(21)に複数の操作キー(11)が押圧されることによって誤作動が生じる虞はない。
又、送話部(12)は凹設されているので、蓋体キャビネット(２)の内面によって該送話部(12)が塞がれることはない。
【００２１】
両キャビネット(１)(２)を閉じた状態でサイドキー(15)を押下して送受話モードに設定することにより、該折り畳み式携帯電話機を閉じた状態で送受話を行なうことが可能となる。
このとき、キャビネット開閉検出器によって両キャビネット(１)(２)の閉じ状態が検出され、該検出に基づく検出信号が制御回路に供給される。制御回路は、前記検出信号と、ハンズフリーモードに設定されたことに応じて、マイクロフォン(13)と第２スピーカ(25)を機能させる。これによって通話可能状態となり、ユーザは、放音部(28)を耳元に近づけると共に送話部(12)を口元に近づけて該着信に応答することが出来る。ここで、放音部(28)の第２スピーカ(25)は、骨伝導式のスピーカであるため、周囲の騒音が大きな場合にも、ユーザは第２スピーカ(25)の振動による通信相手の音声を明瞭に聞き取ることが出来る。
【００２２】
このとき、放音部(28)の第２スピーカ(25)の大きな振動が蓋体キャビネット(２)に伝達され、該振動はビスカバー(27)(27)及び凸部材(14)(14)を介して本体キャビネット(１)にも伝達されることとなるが、ビスカバー(27)(27)及び凸部材(14)(14)は共にシリコン系の弾性樹脂材料によって形成されているため、前記振動は、ビスカバー(27)及び凸部材(14)の弾性によって効果的に吸収されることとなる。従って、本体キャビネット(１)が大きく振動することはなく、軽微な振動がマイクロフォン(13)に伝わるに過ぎない。
【００２３】
又、第２スピーカ(25)の振動が蓋体キャビネット(２)内の空気に伝達され、該振動が第１スピーカ(24)に伝達されることにより第１スピーカ(24)も振動し、これによって第１スピーカ(24)から音波が発せられることとなるが、ビスカバー(27)と凸部材(14)との当接によって、蓋体キャビネット(２)の第１スピーカ(24)と本体キャビネット(１)のマイクロフォン(13)との間には、一定の距離が設けられているため、前記音波は蓋体キャビネット(２)から本体キャビネット(１)に向かう過程で減衰し、僅かにマイクロフォン(13)に伝わるに過ぎない。
【００２４】
従って、両キャビネット(１)(２)を閉じた状態での第２スピーカ(25)の振動に伴うノイズ音の発生は極めて僅かであり、良好な通話状態を保つことが出来る。
【００２５】
凸部材(14)及びビスカバー(27)を形成するシリコンの硬度を６０度と８０度に設定して、本発明の折り畳み式携帯電話機の第１乃至第４の実施例を作製すると共に、ビスカバーを形成するシリコンの硬度を９３度に設定し、該ビスカバーと当接する凸部を樹脂製の本体キャビネットに一体成型した比較例の折り畳み式携帯電話機を作製して、本発明の効果を確認した。
図４は、両キャビネット(１)(２)を閉じた状態で第２スピーカ(25)を振動させたときの第１乃至第４の実施例及び比較例のノイズ音の出力電圧を計測し、比較例の出力電圧に対する第１乃至第４実施例の出力電圧の低減率を示したグラフである。
尚、グラフの横軸は凸部材(14)の硬度を示し、グラフの縦軸は比較例の出力電圧に対する実施例の出力電圧の低減率を示しており、直線Ａはビスカバー(27)の硬度を６０度に設定した場合の低減率を示し、直線Ｂはビスカバー(27)の硬度を８０度に設定した場合の低減率を示している。
【００２６】
図４のグラフから明らかな様に、凸部材(14)とビスカバー(27)を従来よりも硬度の低いシリコンによって形成することにより、ノイズ音は大幅に低減される。従って、本発明の折り畳み式携帯電話機によれば、ノイズ音は軽微であり、該ノイズ音が通話相手に不快感を与える虞はない。
【００２７】
又、本発明に係る折り畳み式携帯電話機においては、図５に示す如く、大出力の第２スピーカ(25a)を採用することも可能である。
該折り畳み式携帯電話機においては、両キャビネット(１)(２)を閉じた状態でサイドキーを押下してハンズフリーモードに設定することにより、第２スピーカ(25a)及びマイクロフォン(13)が機能し、これによって、電話機を手で保持することなく、机の上に置いた状態で送受話を行なうことが可能である。
この状態で、本体キャビネット(１)の背面を机の表面に接触させて両キャビネット(１)(２)を机の上に置くことにより、放音部(28)及び送話部(12)はユーザと対向することとなり、放音部(28)から通話相手の音声が発せられると共に、送話部(12)によってユーザの音声が集音されることによって、送受話が行なわれる。
【００２８】
このとき、放音部(28)の第２スピーカ(25a)の大きな振動が蓋体キャビネット(２)に伝達され、該振動はビスカバー(27)(27)及び凸部材(14)(14)を介して本体キャビネット(１)にも伝達されることとなるが、該振動は、シリコン系の弾性樹脂材料によって形成されるビスカバー(27)(27)及び凸部材(14)(14)の弾性によって効果的に吸収されることとなる。
従って、第２スピーカ(25a)の振動に伴うノイズ音の発生は極めて僅かであり、良好な通話状態でハンズフリーによる送受話を行なうことが出来る。
【図面の簡単な説明】
【００２９】
【図１】本発明に係る折り畳み式携帯電話機の開いた状態の斜視図である。
【図２】該折り畳み式携帯電話機の閉じた状態の断面図である。
【図３】該折り畳み式携帯電話機の一部を破断した拡大正面図である。
【図４】該折り畳み式携帯電話機のノイズ音の低減率を示したグラフである。
【図５】本発明に係る他の折り畳み式携帯電話機の断面図である。
【図６】従来の折り畳み式携帯電話機の開いた状態の断面図である。
【図７】該折り畳み式携帯電話機の閉じた状態の断面図である。
【符号の説明】
【００３０】
(１)  本体キャビネット
(11)  操作キー
(12)  送話部
(13)  マイクロフォン
(14)  凸部材
(２)  蓋体キャビネット
(21)  メインディスプレイ
(22)  受話部
(23)  サブディスプレイ
(24)  第１スピーカ
(25)  第２スピーカ
(27)  ビスカバー
(28)  放音部
(３)  ヒンジ機構
【図１】
2005142835.tif 000003
【図２】
2005142835.tif 000004
【図３】
2005142835.tif 000005
【図４】
2005142835.tif 000006
【図５】
2005142835.tif 000007
【図６】
2005142835.tif 000008
【図７】
2005142835.tif 000009